(57)【要約】【課題】ΔΣ変調されて得られたユニポーラ信号をＲＦ信号に変換する回路の規模を小さくすることができる信号処理装置及び送信装置を提供する。【解決手段】送信装置１０は、ベースバンド信号がΔΣ変調器１０２，１０４によりΔΣ変調されて得られたユニポーラ信号をＣＯＳ波、−ＳＩＮ波、及びＳＩＮ波に従って第３論理パルスに変調する論理回路１２と、論理回路１２により変調されて得られた第３論理パルスに対応するバースト状信号を生成する電力増幅器１４と、電力増幅器１４により生成されたバースト状信号から、バースト状信号の基本周波数特性を示すＲＦ信号を抽出して出力する狭帯域ＢＰＦ１１４と、を含む。【選択図】図１
2016076777.tif 000002
【特許請求の範囲】
【請求項１】
ベースバンド信号がΔΣ変調器によりΔΣ変調されて得られたユニポーラ信号を特定の搬送波に従って間欠信号に変調する変調部と、
前記変調部により変調されて得られた前記間欠信号に対応するバースト状信号を生成する生成部と、
前記生成部により生成された前記バースト状信号から、前記バースト状信号の基本周波数特性を示すＲＦ信号を抽出して出力する出力部と、
を含む信号処理装置。
【請求項２】
前記ΔΣ変調器は、入力された前記ベースバンド信号をΔΣ変調して３値以上の奇数値で量子化し、量子化結果である正極性ユニポーラ信号及び負極性ユニポーラ信号を前記ユニポーラ信号として出力する請求項１に記載の信号処理装置。
【請求項３】
前記変調部は、前記ΔΣ変調器から前記正極性ユニポーラ信号が入力された場合、前記搬送波に従って前記正極性ユニポーラ信号に対応する第１間欠信号を生成し、生成した第１間欠信号を出力し、前記ΔΣ変調器から前記負極性ユニポーラ信号が入力された場合、前記搬送波に従って前記負極性ユニポーラ信号に対応する第２間欠信号を生成し、生成した第２間欠信号を出力し、
前記生成部は、前記変調部により前記第１間欠信号が出力された場合、前記第１間欠信号に対応する第１バースト状信号を生成し、前記変調部により前記第２間欠信号が出力された場合、前記第２間欠信号に対応する第２バースト状信号を生成し、
前記出力部は、前記生成部により前記第１バースト状信号が生成された場合、前記第１バースト状信号から、前記第１バースト状信号の基本周波数特性を示す信号を前記ＲＦ信号として抽出して出力し、前記生成部により前記第２バースト状信号が生成された場合、前記第２バースト状信号から、前記第２バースト状信号の基本周波数特性を示す信号を前記ＲＦ信号として抽出して出力する請求項２に記載の信号処理装置。
【請求項４】
前記搬送波は、前記第１間欠信号及び前記第２間欠信号の一方を他方の逆相信号にする搬送波である請求項３に記載の信号処理装置。
【請求項５】
前記変調部は、前記搬送波が入力された論理回路であって、前記ΔΣ変調器から前記正極性ユニポーラ信号が入力される第１入力端子、前記ΔΣ変調器から前記負極性ユニポーラ信号が入力される第２入力端子、並びに、前記第１間欠信号及び前記第２間欠信号を出力する出力端子を有する論理回路である請求項３又は請求項４に記載の信号処理装置。
【請求項６】
前記搬送波は、前記ユニポーラ信号と同期し、かつ、変化タイミングが前記ユニポーラ信号の変化タイミングと一致するパルスであり、
前記論理回路は、前記第１入力端子に入力された前記正極性ユニポーラ信号、及び前記第２入力端子に入力された前記負極性ユニポーラ信号を前記パルスに従って変調することで前記第１間欠信号及び前記第２間欠信号を生成し、生成した前記第１間欠信号及び前記第２間欠信号を出力する請求項５に記載の信号処理装置。
【請求項７】
前記論理回路は、前記第１入力端子及び前記第２入力端子を有すると共に前記パルスが入力されるセレクタを含む論理回路である請求項６に記載の信号処理装置。
【請求項８】
前記ベースバンド信号は、同相成分信号及び直交成分信号に分類され、
前記ΔΣ変調器は、前記同相成分信号をΔΣ変調する第１変調器、及び前記直交成分信号をΔΣ変調する第２変調器を有し、
前記変調部は、前記搬送波が入力された論理回路であって、前記第１変調器から前記正極性ユニポーラ信号が入力される第１入力端子、前記第１変調器から前記負極性ユニポーラ信号が入力される第２入力端子、前記第２変調器から前記正極性ユニポーラ信号が入力される第３入力端子、前記第２変調器から前記負極性ユニポーラ信号が入力される第４入力端子、並びに、前記第１間欠信号及び前記第２間欠信号を前記生成部に出力する出力端子を有する論理回路である請求項３又は請求項４に記載の信号処理装置。
【請求項９】
前記搬送波は、一方が他方に対して位相が９０度ずれており、かつ、一方が前記ユニポーラ信号と同期し、かつ、一方の変化タイミングが前記ユニポーラ信号の変化タイミングと一致する一対のパルスであり、
前記論理回路は、前記第１入力端子に入力された前記正極性ユニポーラ信号、及び前記第２入力端子に入力された前記負極性ユニポーラ信号を前記一対のパルスのうちの一方に従って変調することで前記第１間欠信号及び前記第２間欠信号を生成し、生成した前記第１間欠信号及び前記第２間欠信号を前記出力端子により予め定められたタイミングで出力し、前記第３入力端子に入力された前記正極性ユニポーラ信号、及び前記第４入力端子に入力された前記負極性ユニポーラ信号を前記一対のパルスのうちの他方に従って変調することで前記第１間欠信号及び前記第２間欠信号を生成し、生成した前記第１間欠信号及び前記第２間欠信号を前記予め定められたタイミングで出力する請求項８に記載の信号処理装置。
【請求項１０】
前記論理回路は、前記第１入力端子及び前記第２入力端子を有すると共に前記一対のパルスのうちの一方が入力される同相成分側セレクタと、前記第３入力端子及び前記第４入力端子を有すると共に前記一対のパルスのうちの他方が入力される直交成分側セレクタと、前記出力端子を有する出力段セレクタと、を含む論理回路である請求項９に記載の信号処理装置。
【請求項１１】
前記変調部と前記生成部は異なるチップで別体化されている請求項１から請求項１０の何れか１項に記載の信号処理装置。
【請求項１２】
請求項１から請求項１１の何れか１項に記載の信号処理装置と、
前記信号処理装置に含まれる出力部により出力されたＲＦ信号が入力されるシングルエンド入力型のアンテナと、
を含む送信装置。
【発明の詳細な説明】
【技術分野】
【０００１】
本発明は、信号処理装置及び送信装置に関する。
【背景技術】
【０００２】
ＱＭ−ＥＰＷＭ（Quadrature-Modulation Envelope Pulse-Width Modulation）方式による無線通信用送信装置では、ベースバンド信号が３値ΔΣ変調器により３値ΔΣ変調される。この結果、３値ΔΣ変調器により“１”、“０”及び“−１”の３値で量子化されたユニポーラ信号が出力される。
【０００３】
具体的には、ベースバンド信号は、同相成分信号と直交成分信号とに分類され、同相成分信号及び直交成分信号の各々が個別の３値ΔΣ変調器により３値ΔΣ変調される。
【０００４】
同相成分信号は、一方の３値ΔΣ変調器により３値ΔΣ変調され、量子化されることにより“１”及び“０”を示す正極性ユニポーラ信号と“−１”及び“０”を示す負極性ユニポーラ信号とに変換される。また、直交成分信号は、他方の３値ΔΣ変調器により３値ΔΣ変調され、量子化されることにより正極性ユニポーラ信号と負極性ユニポーラ信号とに変換される。
【０００５】
このようにして得られたユニポーラ信号は、２つの電力増幅器の各々によってバースト状のアナログ信号に変換される。そして、これらのアナログ信号が合成器によって合成されることで合成信号が生成され、生成された合成信号から、合成信号の基本周波数特性を示すＲＦ（Radio Frequency）信号が抽出される。ＲＦ信号は、送信用アンテナに出力される。
【先行技術文献】
【非特許文献】
【０００６】
【非特許文献１】R. Hezar, et al., “A 23dBm fully digital transmitter using ΣΔ and pulse-width modulation for LTE and WLAN applications in 45nm CMOS,” 2014 IEEE Radio Frequency Integrated Circuits Symposium, p. 217, June 2014.
【非特許文献２】Y. Wang, “A class-S RF amplifier architecture with envelope delta-sigma modulation,” 2002 IEEE Radio and Wireless Conference (RAWCON 2002), p. 177.
【発明の概要】
【発明が解決しようとする課題】
【０００７】
しかしながら、ユニポーラ信号をＲＦ信号に変換する回路には、負出力に対応した複数のセレクタ（例えば、マルチプレクサ）、２つの電力増幅器、及び合成器が含まれるため、回路規模が大きくなってしまう、という問題点があった。
【０００８】
本発明は上記問題点を解決するために成されたものであり、ベースバンド信号がΔΣ変調されて得られたユニポーラ信号をＲＦ信号に変換する回路の規模を小さくすることができる信号処理装置及び送信装置を提供することを目的とする。
【課題を解決するための手段】
【０００９】
上記目的を達成するために、請求項１に記載の信号処理装置は、ベースバンド信号がΔΣ変調器によりΔΣ変調されて得られたユニポーラ信号を特定の搬送波に従って間欠信号に変調する変調部と、前記変調部により変調されて得られた前記間欠信号に対応するバースト状信号を生成する生成部と、前記生成部により生成された前記バースト状信号から、前記バースト状信号の基本周波数特性を示すＲＦ信号を抽出して出力する出力部と、を含む。
【００１０】
上記目的を達成するために、請求項１２に記載の送信装置は、請求項１から請求項１１の何れか１項に記載の信号処理装置と、前記信号処理装置に含まれる出力部により出力されたＲＦ信号が入力されるシングルエンド入力型のアンテナと、を含む。
【発明の効果】
【００１１】
本発明によれば、ベースバンド信号がΔΣ変調されて得られたユニポーラ信号をＲＦ信号に変換する回路の規模を小さくすることができる、という効果が得られる。
【図面の簡単な説明】
【００１２】
【図１】実施形態に係る送信装置の要部構成の一例を示すブロック図である。
【図２】実施形態に係る送信装置の各ノードの出力及び狭帯域ＢＰＦの出力の一例を示すタイムチャートである。
【図３】比較例に係る送信装置の要部構成の一例を示すブロック図である。
【図４】比較例に係る送信装置の各ノードの出力及び狭帯域ＢＰＦの出力の一例を示すタイムチャートである。
【発明を実施するための形態】
【００１３】
［比較例］
以下、本発明に係る実施形態の説明に先立ち、本発明の比較例を説明する。なお、以下では、説明の便宜上、ベースバンド信号が同相成分信号及び直交位相成分（直交成分信号）に分類されていることを前提として説明する。また、以下では、説明の便宜上、同相成分を“Ｉ−ｃｈ”（Ｉチャネル）とも称し、直交成分を“Ｑ−ｃｈ”（Ｑチャネル）とも称する。ここで、「同相」とは、位相基準と同じ位相を意味し、「直交（位相）」とは、位相基準に対し直交した位相（＋９０度又は−９０度）を意味する。
【００１４】
一例として図３に示すように、本比較例に係る送信装置１００は、３値ΔΣ変調器１０２，１０４、論理回路１０６、第１電力増幅器１０８、第２電力増幅器１１０、合成器１１２、狭帯域バンドパスフィルタ（ＢＰＦ）１１４、及び送信用アンテナ１１６を含む。
【００１５】
３値ΔΣ変調器１０２は、Ｉ−ｃｈ入力端子１０２Ａ、正出力端子１０２Ｂ、及び負出力端子１０２Ｃを有する。Ｉ−ｃｈ入力端子１０２Ａには同相成分信号が入力され、３値ΔΣ変調器１０２は、同相成分信号をΔΣ変調し、“１”、“０”、及び“−１”の３値で量子化したユニポーラ信号を出力する。ユニポーラ信号は、“０”及び“１”を示す正極性ユニポーラ信号と“０”及び“−１”を示す負極性ユニポーラ信号とに分類される。
【００１６】
正出力端子１０２Ｂは、ノードＡ１に接続されており、負出力端子１０２Ｃは、ノードＢ１に接続されている。３値ΔΣ変調器１０２は、正出力端子１０２Ｂを介してノードＡ１に正極性ユニポーラ信号を出力し、負出力端子１０２Ｃを介してノードＢ１に負極性ユニポーラ信号を出力する。
【００１７】
３値ΔΣ変調器１０４は、Ｑ−ｃｈ入力端子１０４Ａ、正出力端子１０４Ｂ、及び負出力端子１０４Ｃを有する。Ｑ−ｃｈ入力端子１０４Ａには直交成分信号が入力され、３値ΔΣ変調器１０４は、直交成分信号をΔΣ変調し、３値で量子化したユニポーラ信号として正極性ユニポーラ信号及び負極性ユニポーラ信号を出力する。
【００１８】
正出力端子１０４Ｂは、ノードＡ２に接続されており、負出力端子１０４Ｃは、ノードＢ２に接続されている。３値ΔΣ変調器１０４は、正出力端子１０４Ｂを介してノードＡ２に正極性ユニポーラ信号を出力し、負出力端子１０４Ｃを介してノードＢ２に負極性ユニポーラ信号を出力する。
【００１９】
論理回路１０６は、第１マルチプレクサ１２０、第２マルチプレクサ１２２、第３マルチプレクサ１２４、第４マルチプレクサ１２６、第５マルチプレクサ１２８、及び第６マルチプレクサ１３０を含む。また、論理回路１０６は、ＣＯＳ波生成器１３２、−ＳＩＮ波生成器１３４、及びＳＩＮ波生成器１３６を含む。
【００２０】
ＣＯＳ波生成器１３２は、出力端子１３２Ａ，１３２Ｂを有しており、規定周波数ｆＣのＣＯＳ波（以下、「ＣＯＳ波」と称する）を生成し、生成したＣＯＳ波を出力端子１３２Ａ，１３２Ｂの各々を介して出力する。ここで、ＣＯＳ波とは、“１”と“０”とに遷移するＣＯＳ形状の矩形波であるＣＯＳユニポーラパルスを指す。なお、ＣＯＳユニポーラパルスの“１”は、ＣＯＳバイポーラパルスの“１”に相当し、ＣＯＳユニポーラパルスの“０”は、ＣＯＳバイポーラパルスの“−１”に相当する。
【００２１】
−ＳＩＮ波生成器１３４は、出力端子１３４Ａ，１３４Ｂを有しており、規定周波数ｆＣの−ＳＩＮ波（以下、「−ＳＩＮ波」と称する）を生成し、生成した−ＳＩＮ波を出力端子１３４Ａ，１３４Ｂの各々を介して出力する。ここで、−ＳＩＮ波とは、“１”と“０”とに遷移する−ＳＩＮ形状の矩形波である−ＳＩＮユニポーラパルスを指す。なお、−ＳＩＮ矩形波の“１”は、−ＳＩＮバイポーラパルスの“１”に相当し、−ＳＩＮユニポーラパルスの“０”は、−ＳＩＮバイポーラパルスの“−１”に相当する。
【００２２】
ＳＩＮ波生成器１３６は、出力端子１３６Ａ，１３６Ｂを有しており、規定周波数ｆＣ／２のＳＩＮ波（以下、「ＳＩＮ波」と称する）を生成し、生成したＳＩＮ波を出力端子１３６Ａ，１３６Ｂの各々を介して出力する。ここで、ＳＩＮ波とは、“１”と“０”とに遷移するＳＩＮ形状の矩形波であるＳＩＮユニポーラパルスを指す。ＳＩＮ波は、Ｉ−ｃｈとＱ−ｃｈとの切り替えに用いられる切り替え波である。すなわち、ＳＩＮ波は、Ｉ−Ｃｈの出力とＱ−ｃｈの出力とを予め定められたタイミングで切り替えるために用いられる信号である。ＳＩＮ波が“１”を示している場合、Ｉ−ｃｈが選択され、ＳＩＮ波が“０”を示している場合、Ｑ−ｃｈが選択される。なお、ＳＩＮユニポーラパルスの“１”は、ＳＩＮバイポーラパルスの“１”に相当し、ＳＩＮユニポーラパルスの“０”は、ＳＩＮバイポーラパルスの“−１”に相当する。
【００２３】
第１マルチプレクサ１２０は、入力端子１２０Ａ，１２０Ｂ，１２０Ｃ及び出力端子１２０Ｄを有する。入力端子１２０ＡはノードＡ１に接続されている。入力端子１２０ＢはノードＢ１に接続されている。入力端子１２０ＣはノードＣ１を介してＣＯＳ波生成器１３２の出力端子１３２Ａに接続されている。従って、第１マルチプレクサ１２０には、３値ΔΣ変調器１０２から正極性ユニポーラ信号及び負極性ユニポーラ信号が入力され、ＣＯＳ波生成器１３２からＣＯＳ波が入力される。
【００２４】
第２マルチプレクサ１２２は、入力端子１２２Ａ，１２２Ｂ，１２２Ｃ及び出力端子１２２Ｄを有する。入力端子１２２ＡはノードＡ１に接続されている。入力端子１２２ＢはノードＢ１に接続されている。入力端子１２２ＣはノードＣ２を介してＣＯＳ波生成器１３２の出力端子１３２Ｂに接続されている。従って、第２マルチプレクサ１２２には、３値ΔΣ変調器１０２から正極性ユニポーラ信号及び負極性ユニポーラ信号が入力され、ＣＯＳ波生成器１３２からＣＯＳ波が入力される。
【００２５】
第１マルチプレクサ１２０及び第２マルチプレクサ１２２の各々は、Ｉ−ｃｈについて、正極性ユニポーラ信号とＣＯＳ波との排他的論理和の反転、及び負極性ユニポーラ信号とＣＯＳ波との排他的論理和を示す第１論理パルスを生成し、生成した第１論理パルスを出力する。
【００２６】
第３マルチプレクサ１２４は、入力端子１２４Ａ，１２４Ｂ，１２４Ｃ及び出力端子１２４Ｄを有する。入力端子１２４ＡはノードＡ２に接続されている。入力端子１２４ＢはノードＢ２に接続されている。入力端子１２４ＣはノードＤ１を介して−ＳＩＮ波生成器１３４の出力端子１３４Ａに接続されている。従って、第３マルチプレクサ１２４には、３値ΔΣ変調器１０４から正極性ユニポーラ信号及び負極性ユニポーラ信号が入力され、−ＳＩＮ波生成器１３４から−ＳＩＮ波が入力される。
【００２７】
第４マルチプレクサ１２６は、入力端子１２６Ａ，１２６Ｂ，１２６Ｃ及び出力端子１２６Ｄを有する。入力端子１２６ＡはノードＡ２に接続されている。入力端子１２６ＢはノードＢ２に接続されている。入力端子１２６ＣはノードＤ２を介して−ＳＩＮ波生成器１３４の出力端子１３４Ｂに接続されている。従って、第４マルチプレクサ１２６には、３値ΔΣ変調器１０４から正極性ユニポーラ信号及び負極性ユニポーラ信号が入力され、−ＳＩＮ波生成器１３４から−ＳＩＮ波が入力される。
【００２８】
第３マルチプレクサ１２４及び第４マルチプレクサ１２６の各々は、Ｑ−ｃｈについて、正極性ユニポーラ信号と−ＳＩＮ波との排他的論理和の反転、及び負極性ユニポーラ信号と−ＳＩＮ波との排他的論理和を示す第２論理パルスを生成し、生成した第２論理パルスを出力する。
【００２９】
第５マルチプレクサ１２８は、入力端子１２８Ａ，１２８Ｂ，１２８Ｃ及び出力端子１２８Ｄを有する。入力端子１２８Ａは第１マルチプレクサ１２０の出力端子１２０Ｄに接続されている。入力端子１２８Ｂは第３マルチプレクサ１２４の出力端子１２４Ｄに接続されている。入力端子１２８ＣはノードＥ１を介してＳＩＮ波生成器１３６の出力端子１３６Ａに接続されている。出力端子１２８ＤはノードＦに接続されている。
【００３０】
第５マルチプレクサ１２８には、第１マルチプレクサ１２０から第１論理パルスが入力され、第３マルチプレクサ１２４から第２論理パルスが入力され、ＳＩＮ波生成器１３６からＳＩＮ波が入力される。
【００３１】
第５マルチプレクサ１２８は、ＳＩＮ波に従って、正極性ユニポーラ信号に対応する第１論理パルスに相当するパルス、及び正極性ユニポーラ信号に対応する第２論理パルスに相当するパルスを第３論理パルスとしてノードＦに出力する。正極性ユニポーラ信号に対応する第１論理パルスに相当するパルスの第３論理パルスとしての出力、及び正極性ユニポーラ信号に対応する第２論理パルスに相当するパルスの第３論理パルスとしての出力は、ＳＩＮ波によって切り替えられる。
【００３２】
また、第５マルチプレクサ１２８は、ＳＩＮ波に従って、負極性ユニポーラ信号に対応する第１論理パルスに相当するパルス、及び負極性ユニポーラ信号に対応する第２論理パルスに相当するパルスを第３論理パルスとしてノードＦに出力する。負極性ユニポーラ信号に対応する第１論理パルスに相当するパルスの第３論理パルスとしての出力、及び負極性ユニポーラ信号に対応する第２論理パルスに相当するパルスの第３論理パルスとしての出力は、ＳＩＮ波によって切り替えられる。
【００３３】
第６マルチプレクサ１３０は、入力端子１３０Ａ，１３０Ｂ，１３０Ｃ及び出力端子１３０Ｄを有する。入力端子１３０Ａは第２マルチプレクサ１２２の出力端子１２２Ｄに接続されている。入力端子１３０Ｂは第４マルチプレクサ１２６の出力端子１２６Ｄに接続されている。入力端子１３０ＣはノードＥ２を介してＳＩＮ波生成器１３６の出力端子１３６Ｂに接続されている。出力端子１３０ＤはノードＧに接続されている。
【００３４】
第６マルチプレクサ１３０には、第２マルチプレクサ１２２から第１論理パルスが入力され、第４マルチプレクサ１２６から第２論理パルスが入力され、ＳＩＮ波生成器１３６からＳＩＮ波が入力される。
【００３５】
第６マルチプレクサ１３０は、ＳＩＮ波に従って、正極性ユニポーラ信号に対応する第１論理パルスの反転値を示すパルス、及び正極性ユニポーラ信号に対応する第２論理パルスの反転値を示すパルスを第４論理パルスとしてノードＧに出力する。正極性ユニポーラ信号に対応する第１論理パルスの反転値を示すパルスの出力、及び正極性ユニポーラ信号に対応する第２論理パルスの反転値を示すパルスの出力は、ＳＩＮ波によって切り替えられる。
【００３６】
また、第６マルチプレクサ１３０は、ＳＩＮ波に従って、負極性ユニポーラ信号に対応する第１論理パルスの反転値を示すパルス、及び負極性ユニポーラ信号に対応する第２論理パルスの反転値を示すパルスを第４論理パルスとしてノードＧに出力する。負極性ユニポーラ信号に対応する第１論理パルスの反転値を示すパルスの第４論理パルスとしての出力、及び負極性ユニポーラ信号に対応する第２論理パルスの反転値を示すパルスの第４論理パルスとしての出力は、ＳＩＮ波によって切り替えられる。
【００３７】
第１電力増幅器１０８は、入力端子１０８Ａ及び出力端子１０８Ｂを有する。第２電力増幅器１１０は、入力端子１１０Ａ及び出力端子１１０Ｂを有する。合成器１１２は、入力端子１１２Ａ，１１２Ｂ及び出力端子１１２Ｃを有する。狭帯域ＢＰＦ１１４は、入力端子１１４Ａ及び出力端子１１４Ｂを有する。狭帯域ＢＰＦ１１４の出力端子１１４Ｂは、シングルエンド入力型の送信用アンテナ１１６に接続されている。
【００３８】
第１電力増幅器１０８において、入力端子１０８Ａは、ノードＦを介して第５マルチプレクサ１２８の出力端子１２８Ｄに接続されている。出力端子１０８Ｂは、ノードＨを介して合成器１１２の入力端子１１２Ａに接続されている。
【００３９】
第１電力増幅器１０８には、第５マルチプレクサ１２８から第３論理パルスが入力される。第１電力増幅器１０８には、広帯域ＢＰＦ（図示省略）が搭載されており、広帯域ＢＰＦ特性により、第３論理パルスに含まれる直流成分及び低周波成分は“０”となる。第１電力増幅器１０８は、入力された第３論理パルスに対応するバースト状の信号であるバースト状信号を生成し、生成したバースト状信号を出力端子１０８Ｂを介して合成器１１２に出力する。
【００４０】
第２電力増幅器１１０において、入力端子１１０Ａは、ノードＧを介して第６マルチプレクサ１３０の出力端子１３０Ｄに接続されている。出力端子１１０Ｂは、ノードＩを介して合成器１１２の入力端子１１２Ｂに接続されている。
【００４１】
第２電力増幅器１１０には、第６マルチプレクサ１３０から第４論理パルスが入力される。第２電力増幅器１１０には、広帯域ＢＰＦ（図示省略）が搭載されており、広帯域ＢＰＦ特性により、第４論理パルスに含まれる直流成分及び低周波成分は“０”となる。第２電力増幅器１１０は、入力された第４論理パルスに対応するバースト状の信号であるバースト状信号を生成し、生成したバースト状信号を出力端子１１０Ｂを介して合成器１１２に出力する。
【００４２】
合成器１１２の出力端子１１２Ｃは、ノードＪを介して狭帯域ＢＰＦ１１４の入力端子１１４Ａに接続されている。合成器１１２は、第１電力増幅器１０８から入力されたバースト状信号と第２電力増幅器１１０から入力されたバースト状信号とを合成し、合成して得た合成信号を狭帯域ＢＰＦ１１４に出力する。
【００４３】
狭帯域ＢＰＦ１１４は、合成器１１２から入力された合成信号から余分な周波数成分を除くことにより、搬送波（ここでは、一例としてＣＯＳ波及び−ＳＩＮ波）の基本周波数近傍の周波数成分のみを有するＲＦ信号（振幅・位相変調されたＲＦ信号）を抽出し、抽出したＲＦ信号を送信用アンテナ１１６に出力する。なお、以下では、説明の便宜上、「搬送波の基本周波数近傍の周波数成分のみを有するＲＦ信号」を「基本周波数特性を有するＲＦ信号」と称する。
【００４４】
ここで、基本周波数近傍とは、基本周波数に比べて十分狭い周波数範囲を意味する。また、基本周波数近傍が意味する範囲は、変調方式の選択や具体的な信号伝送の帯域幅の設計によって異なる。例えば、通常のディジタル無線伝送であれば、ＲＦ信号は、搬送波の基本周波数（ｆＣ）の両側にベースバンド信号の最大周波数（ｆＢ）分の周波数だけ広がった周波数（すなわち、ｆＣ−ｆＢ〜ｆＣ＋ｆＢ）の範囲に収まるので、この周波数範囲が基本周波数近傍を意味する。更に、この中で周波数帯域を狭くする場合（例えば、単側波帯方式（ＳＳＢ：ｓｉｎｇｌｅ  ｓｉｄｅ  ｂａｎｄ）の場合、ｆＣ−ｆＢ〜ｆＣ＋ｆＢの高い側半分（ｆＣ〜ｆＣ＋ｆＢ）又は低い側半分（ｆＣ−ｆＢ〜ｆＣ）が基本周波数近傍を意味する。
【００４５】
次に、送信装置１００の作用について図４に示すタイムチャートを参照しながら説明する。なお、以下では、説明の便宜上、第１電力増幅器１０８及び第２電力増幅器１１０の各々が反転増幅器の場合について説明する。また、以下では、説明の便宜上、Ｉ−ｃｈの出力とＱ−ｃｈの出力とが交互に行われる場合、すなわち、ノードＡ１及びノードＡ２に交互にユニポーラ信号が出力され、ノードＢ１及びノードＢ２に交互にユニポーラ信号が出力される場合について説明する。また、以下では、説明の便宜上、ノードＡ１及びノードＡ２の各々に対して出力される正極性ユニポーラ信号により示される論理値が“１”⇒“０”⇒“０”⇒“０”の順に遷移する場合を例に挙げて説明する。また、以下では、説明の便宜上、ノードＢ１及びノードＢ２の各々に対して出力される負極性ユニポーラ信号により示される論理値が“０”⇒“０”⇒“１”（＝“−１”）⇒“０”の順に遷移する場合を例に挙げて説明する。
【００４６】
正極性ユニポーラ信号がノードＡ１に出力されると、正極性ユニポーラ信号とＣＯＳ波との排他的論理和の反転を示す第１論理パルスが第１マルチプレクサ１２０及び第２マルチプレクサ１２２の各々により出力される。また、正極性ユニポーラ信号がノードＡ２に出力されると、正極性ユニポーラ信号と−ＳＩＮ波との排他的論理和の反転を示す第２論理パルスが第３マルチプレクサ１２４及び第４マルチプレクサ１２６の各々により出力される。
【００４７】
例えば、図４に示すように、“１”を示す正極性ユニポーラ信号がノードＡ１に出力されると、“１”を示す正極性ユニポーラ信号とＣＯＳ波との排他的論理和の反転を示すＣＯＳユニポーラパルスが第１論理パルスとして出力される。また、例えば、図４に示すように、“１”を示す正極性ユニポーラ信号がノードＡ２に出力されると、“１”を示す正極性ユニポーラ信号と−ＳＩＮ波との排他的論理和の反転を示す−ＳＩＮユニポーラパルスが第２論理パルスとして出力される。
【００４８】
負極性ユニポーラ信号がノードＢ１に出力されると、負極性ユニポーラ信号とＣＯＳ波との排他的論理和を示す第１論理パルスが第１マルチプレクサ１２０及び第２マルチプレクサ１２２の各々により出力される。また、負極性ユニポーラ信号がノードＢ２に出力されると、負極性ユニポーラ信号と−ＳＩＮ波との排他的論理和を示す第２論理パルスが第３マルチプレクサ１２４及び第４マルチプレクサ１２６の各々により出力される。
【００４９】
例えば、図４に示すように、“１”を示す負極性ユニポーラ信号（負極性の“１”を示すユニポーラ信号）がノードＢ１に出力されると、“１”を示す負極性ユニポーラ信号とＣＯＳ波との排他的論理和を示す−ＣＯＳユニポーラパルスが第１論理パルスとして出力される。また、“１”を示す負極性ユニポーラ信号がノードＢ２に出力されると、“１”を示す負極性ユニポーラ信号と−ＳＩＮ波との排他的論理和を示すＳＩＮユニポーラパルスが第２論理パルスとして出力される。
【００５０】
第５マルチプレクサ１２８では、第１論理パルスに相当するパルスと第２論理パルスに相当するパルスとが第３論理パルスとしてＳＩＮ波に従って予め定められたタイミングで出力される。すなわち、第５マルチプレクサ１２８では、第１論理パルスが入力されると、ＳＩＮ波に従って、第１論理パルスに相当するパルスが第３論理パルスとしてノードＦに出力される。また、第５マルチプレクサ１２８では、第２論理パルスが入力されると、ＳＩＮ波に従って、第２論理パルスに相当するパルスが第３論理パルスとしてノードＦに出力される。
【００５１】
例えば、図４に示すように、第５マルチプレクサ１２８にＣＯＳユニポーラパルスが第１論理パルスとして入力されると、第５マルチプレクサ１２８では、ＳＩＮ波に従って、ＣＯＳユニポーラパルスが第３論理パルスとしてノードＦに出力される。また、第５マルチプレクサ１２８に−ＣＯＳユニポーラパルスが第１論理パルスとして入力されると、ＳＩＮ波に従って、−ＣＯＳユニポーラパルスが第３論理パルスとしてノードＦに出力される。また、第５マルチプレクサ１２８に−ＳＩＮユニポーラパルスが第２論理パルスとして入力されると、ＳＩＮ波に従って、−ＳＩＮユニポーラパルスが第３論理パルスとしてノードＦに出力される。更に、第５マルチプレクサ１２８にＳＩＮユニポーラパルスが第２論理パルスとして入力されると、ＳＩＮ波に従って、ＳＩＮユニポーラパルスが第３論理パルスとしてノードＦに出力される。
【００５２】
第６マルチプレクサ１３０では、第１論理パルスの反転値を示すパルスと第２論理パルスの反転値を示すパルスとが第４論理パルスとしてＳＩＮ波に従って予め定められたタイミングで出力される。すなわち、第６マルチプレクサ１３０では、第１論理パルスが入力されると、ＳＩＮ波に従って、第１論理パルスの反転値を示すパルスが第４論理パルスとしてノードＧに出力される。また、第６マルチプレクサ１３０では、第２論理パルスが入力されると、ＳＩＮ波に従って、第２論理パルスの反転値を示すパルスが第４論理パルスとしてノードＧに出力される。
【００５３】
例えば、図４に示すように、第６マルチプレクサ１３０では、ＣＯＳユニポーラパルスが第１論理パルスとして入力されると、ＳＩＮ波に従って、ＣＯＳユニポーラパルスの反転値を示すＣＯＳ~ユニポーラパルスが第４論理パルスとしてノードＧに出力される。また、第６マルチプレクサ１３０では、−ＣＯＳユニポーラパルスが第１論理パルスとして入力されると、ＳＩＮ波に従って、−ＣＯＳユニポーラパルスの反転値を示す−ＣＯＳ~ユニポーラパルスが第４論理パルスとしてノードＧに出力される。また、第６マルチプレクサ１３０では、−ＳＩＮユニポーラパルスが第２論理パルスとして入力されると、ＳＩＮ波に従って、−ＳＩＮユニポーラパルスの反転値を示す−ＳＩＮ~ユニポーラパルスが第４論理パルスとしてノードＧに出力される。更に、第６マルチプレクサ１３０では、ＳＩＮユニポーラパルスが第２論理パルスとして入力されると、ＳＩＮ波に従って、ＳＩＮユニポーラパルスの反転値を示すＳＩＮ~ユニポーラパルスが第４論理パルスとしてノードＧに出力される。
【００５４】
第１電力増幅器１０８では、第３論理パルスが入力されると、一例として図４に示すように、第３論理パルスに対応するバースト状信号がノードＨに出力される。
【００５５】
第２電力増幅器１１０では、第４論理パルスが入力されると、一例として図４に示すように、第４論理パルスに対応するバースト状信号がノードＩに出力される。
【００５６】
合成器１１２では、第１電力増幅器１０８から入力されたバースト状信号と第２電力増幅器１１０から入力されたバースト状信号とが合成され、合成されて得られた合成信号がノードＪに出力される。
【００５７】
狭帯域ＢＰＦ１１４では、合成信号が入力されると、一例として図４に示すように、合成信号の基本周波数特性を示すＲＦ信号が抽出され、抽出されたＲＦ信号が送信用アンテナ１１６に出力される。
【００５８】
［実施形態］
次に本発明に係る実施形態の一例を詳細に説明する。なお、以下では、上記比較例と異なる点を主に説明する。また、上記比較例で説明した構成要素と重複する構成要素については、比較例で説明した構成要素と同一の符号を付し、その説明を省略する。
【００５９】
一例として図１に示すように、送信装置１０は、本発明に係る第１変調器の一例である３値ΔΣ変調器１０２、本発明に係る第２変調器の一例である３値ΔΣ変調器１０４、及び本発明に係る変調部の一例である論理回路１２を含む。また、送信装置１０は、本発明に係る生成部の一例である電力増幅器１４、本発明に係る出力部の一例である狭帯域ＢＰＦ１１４、及び送信用アンテナ１１６を含む。送信装置１０では、論理回路１２と電力増幅器１４とが異なるチップで別体化されている。
【００６０】
送信装置１０は、図３に示す送信装置１００に比べ、論理回路１０６に代えて論理回路１２を有する点と、第２電力増幅器１１０及び合成器１１２を有しない点と、第１電力増幅器１０８に代えて電力増幅器１４を有する点とが異なる。
【００６１】
論理回路１２は、図３に示す論理回路１０６に比べ、第２マルチプレクサ１２２、第４マルチプレクサ１２６、及び第６マルチプレクサ１３０を有しない点が異なる。
【００６２】
なお、第１マルチプレクサ１２０は、本発明に係る同相成分側セレクタの一例であり、入力端子１２０Ａは、本発明に係る第１入力端子の一例であり、入力端子１２０Ｂは、本発明に係る第２入力端子の一例である。また、第３マルチプレクサ１２４は、本発明に係る直交成分側セレクタの一例であり、入力端子１２４Ａは、本発明に係る第３入力端子の一例であり、入力端子１２４Ｂは、本発明に係る第４入力端子の一例である。更に、第５マルチプレクサ１２８は、本発明に係る出力段セレクタの一例であり、出力端子１２８Ｄは、本発明に係る出力端子の一例である。
【００６３】
第５マルチプレクサ１２８では、正極性ユニポーラ信号に対応する第１論理パルスに相当するパルス、及び正極性ユニポーラ信号に対応する第２論理パルスに相当するパルスが第３論理パルスとしてノードＦに出力される。ここで、正極性ユニポーラ信号に対応する第１論理パルスに相当するパルス、及び正極性ユニポーラ信号に対応する第２論理パルスに相当するパルスは、本発明に係る第１間欠信号の一例である。
【００６４】
なお、以下では、説明の便宜上、正極性ユニポーラ信号に対応する第１論理パルスに相当するパルスである第３論理パルス、及び正極性ユニポーラ信号に対応する第２論理パルスに相当するパルスである第３論理パルスを「正極性論理パルス」と称する。
【００６５】
第５マルチプレクサ１２８では、負極性ユニポーラ信号に対応する第１論理パルスに相当するパルス、及び負極性ユニポーラ信号に対応する第２論理パルスに相当するパルスが第３論理パルスとしてノードＦに出力される。ここで、負極性ユニポーラ信号に対応する第１論理パルスに相当するパルス、及び負極性ユニポーラ信号に対応する第２論理パルスに相当するパルスは、本発明に係る第２間欠信号の一例である。
【００６６】
なお、以下では、説明の便宜上、負極性ユニポーラ信号に対応する第１論理パルスに相当するパルスである第３論理パルス、及び負極性ユニポーラ信号に対応する第２論理パルスに相当するパルスである第３論理パルスを「負極性論理パルス」と称する。
【００６７】
ＣＯＳ波生成器１３２は、本発明に係る搬送波の一例であるＣＯＳ波を生成して出力する。−ＳＩＮ波生成器１３４は、本発明に係る搬送波の一例である−ＳＩＮ波を生成して出力する。なお、ＣＯＳ波及び−ＳＩＮ波は、本発明に係る一対のパルスの一例である。
【００６８】
電力増幅器１４は、入力端子１４Ａ及び出力端子１４Ｂを有する。入力端子１４ＡはノードＦに接続されており、出力端子１４ＢはノードＨに接続されている。なお、本実施形態では、送信装置１０の出力電力を送信装置１００と同一にしようとすると、電力増幅器１４の出力電力は、図３に示す第１電力増幅器１０８の飽和出力電力よりも高い必要があるが、これに限らず、電力増幅器１４の飽和出力電力と図３に示す第１電力増幅器１０８の飽和出力電力とが同一であってもよい。この場合、第１電力増幅器１０８を電力増幅器１４としてそのまま用いることで、結果として送信装置１０の出力電力は送信装置１００よりも小さくなる。
【００６９】
電力増幅器１４は、第５マルチプレクサ１２８から正極性論理パルスが入力された場合、正極性論理パルスに対応するバースト状の信号である第１バースト状信号を生成し、生成した第１バースト状信号をノードＨに出力する。また、電力増幅器１４は、第５マルチプレクサ１２８から負極性論理パルスが入力された場合、負極性論理パルスに対応するバースト状の信号である第２バースト状信号を生成し、生成した第２バースト状信号をノードＨに出力する。
【００７０】
狭帯域ＢＰＦ１１４の入力端子１１４ＡはノードＨに接続されている。狭帯域ＢＰＦ１１４は、電力増幅器１４から入力された第１バースト状信号及び第２バースト状信号から、第１バースト状信号の基本周波数特性及び第２バースト状信号の基本周波数特性を示すＲＦ信号を抽出し、抽出したＲＦ信号を送信用アンテナ１１６に出力する。
【００７１】
次に、送信装置１０の作用について図２に示すタイムチャートを参照しながら説明する。なお、以下では、説明の便宜上、電力増幅器１４が反転増幅器の場合について説明する。また、以下では、説明の便宜上、Ｉ−ｃｈの出力とＱ−ｃｈの出力とが交互に行われる場合、すなわち、ノードＡ１及びノードＡ２に交互にユニポーラ信号が出力され、ノードＢ１及びノードＢ２に交互にユニポーラ信号が出力される場合について説明する。また、以下では、説明の便宜上、ノードＡ１及びノードＡ２の各々に対して出力される正極性ユニポーラ信号により示される論理値が“１”⇒“０”⇒“０”⇒“０”の順に遷移する場合を例に挙げて説明する。また、以下では、説明の便宜上、ノードＢ１及びノードＢ２の各々に対して出力される負極性ユニポーラ信号により示される論理値が“０”⇒“０”⇒“１”（＝“−１”）⇒“０”の順に遷移する場合を例に挙げて説明する。
【００７２】
正極性ユニポーラ信号がノードＡ１に出力されると、正極性ユニポーラ信号とＣＯＳ波との排他的論理和の反転を示す第１論理パルスが第１マルチプレクサ１２０により出力される。また、正極性ユニポーラ信号がノードＡ２に出力されると、正極性ユニポーラ信号と−ＳＩＮ波との排他的論理和の反転を示す第２論理パルスが第３マルチプレクサ１２４により出力される。
【００７３】
例えば、図２に示すように、“１”を示す正極性ユニポーラ信号がノードＡ１に出力されると、第１マルチプレクサ１２０では、“１”を示す正極性ユニポーラ信号とＣＯＳ波との排他的論理和の反転を示すＣＯＳユニポーラパルスが第１論理パルスとして出力される。また、例えば、図２に示すように、“１”を示す正極性ユニポーラ信号がノードＡ２に出力されると、第３マルチプレクサ１２４では、“１”を示す正極性ユニポーラ信号と−ＳＩＮ波との排他的論理和の反転を示す−ＳＩＮユニポーラパルスが第２論理パルスとして出力される。
【００７４】
負極性ユニポーラ信号がノードＢ１に出力されると、負極性ユニポーラ信号とＣＯＳ波との排他的論理和を示す第１論理パルスが第１マルチプレクサ１２０により出力される。また、負極性ユニポーラ信号がノードＢ２に出力されると、負極性ユニポーラ信号と−ＳＩＮ波との排他的論理和を示す第２論理パルスが第３マルチプレクサ１２４により出力される。
【００７５】
例えば、図２に示すように、“１”を示す負極性ユニポーラ信号がノードＢ１に出力されると、第１マルチプレクサ１２０では、“１”を示す負極性ユニポーラ信号とＣＯＳ波との排他的論理和を示す−ＣＯＳユニポーラパルスが第１論理パルスとして出力される。また、“１”を示す負極性ユニポーラ信号がノードＢ２に出力されると、第３マルチプレクサ１２４では、“１”を示す負極性ユニポーラ信号と−ＳＩＮ波との排他的論理和を示すＳＩＮユニポーラパルスが第２論理パルスとして出力される。
【００７６】
第５マルチプレクサ１２８では、第１論理パルスが入力されると、ＳＩＮ波に従って、第１論理パルスに相当するパルスが第３論理パルスとしてノードＦに出力される。また、第５マルチプレクサ１２８では、第２論理パルスが入力されると、ＳＩＮ波に従って、第２論理パルスに相当するパルスが第３論理パルスとしてノードＦに出力される。
【００７７】
例えば、図２に示すように、第５マルチプレクサ１２８にＣＯＳユニポーラパルスが第１論理パルスとして入力されると、第５マルチプレクサ１２８では、ＳＩＮ波に従って、ＣＯＳユニポーラパルスが第３論理パルスとしてノードＦに出力される。また、第５マルチプレクサ１２８に−ＣＯＳユニポーラパルスが第１論理パルスとして入力されると、ＳＩＮ波に従って、−ＣＯＳユニポーラパルス（ＣＯＳユニポーラパルスの逆相信号）が第３論理パルスとしてノードＦに出力される。また、第５マルチプレクサ１２８に−ＳＩＮユニポーラパルスが第２論理パルスとして入力されると、ＳＩＮ波に従って、−ＳＩＮユニポーラパルスが第３論理パルスとしてノードＦに出力される。更に、第５マルチプレクサ１２８にＳＩＮユニポーラパルスが第２論理パルスとして入力されると、ＳＩＮ波に従って、ＳＩＮユニポーラパルス（−ＳＩＮユニポーラパルスの逆相信号）が第３論理パルスとしてノードＦに出力される。
【００７８】
電力増幅器１４では、第３論理パルスが入力されると、第３論理パルスに対応するバースト状信号がノードＨに出力される。例えば、図２に示すように、電力増幅器１４に正極性論理パルスが入力されると、電力増幅器１４では、正極性論理パルスに対応する第１バースト状信号がノードＨに出力される。また、例えば、図２に示すように、電力増幅器１４に負極性論理パルスが入力されると、電力増幅器１４では、負極性論理パルスに対応する第２バースト状信号がノードＨに出力される。
【００７９】
狭帯域ＢＰＦ１１４では、第１バースト状信号が入力されると、一例として図２に示すように、第１バースト状信号から、第１バースト状信号の基本周波数特性を示す信号がＲＦ信号として抽出され、抽出されたＲＦ信号が送信用アンテナ１１６に出力される。また、狭帯域ＢＰＦ１１４では、第２バースト状信号が入力されると、一例として図２に示すように、第２バースト状信号から、第２バースト状信号の基本周波数特性を示す信号がＲＦ信号として抽出され、抽出されたＲＦ信号が送信用アンテナ１１６に出力される。このように、本実施形態に係る送信装置１０では、合成器１１２（図３参照）を介することなく得られたバースト状信号からＲＦ信号が直接抽出されて出力される。
【００８０】
図２及び図４に示すように、送信装置１０で狭帯域ＢＰＦ１１４により抽出されたＲＦ信号は、比較例の送信装置１００で狭帯域ＢＰＦ１１４により抽出されたＲＦ信号と同一である。これは、図３に示すノードＪに出力された合成信号に含まれる基本周波数特性と図１に示すノードＨに出力された第１バースト状信号の基本周波数特性及び第２バースト状信号の基本周波数特性とが同一であることに起因する。
【００８１】
比較例の送信装置１００では、ＲＦ信号を得るために、合成信号を生成する必要がある。合成信号を生成するためには、第２マルチプレクサ１２２、第４マルチプレクサ１２４、第６マルチプレクサ１３０、第２電力増幅器１１０、及び合成器１１２を要する。これに対し、本実施形態に係る送信装置１０では、ＲＦ信号を得るために、合成信号を生成する必要がないため、第２マルチプレクサ１２２、第４マルチプレクサ１２４、第６マルチプレクサ１３０、第２電力増幅器１１０、及び合成器１１２を要しない。すなわち、本実施形態に係る送信装置１０では、図４に示すノードＧ、ノードＩ、及びノードＪの各出力は不要となる。よって、送信装置１０は、送信装置１００に比べ、ユニポーラ信号をＲＦ信号に変換する回路の規模を小さくすることができる。
【００８２】
また、送信装置１０では、論理回路１２に正極性ユニポーラ信号が入力された場合、論理回路１２により正極性論理パルスが生成され、論理回路１２に負極性ユニポーラ信号が入力された場合、論理回路１２により負極性論理パルスが生成される。また、正極性論理パルスが生成されると、電力増幅器１４により正極性論理パルスに対応する第１バースト状信号が生成され、負極性論理パルスが生成されると、電力増幅器１４により負極性論理パルスに対応する第２バースト状信号が生成される。そして、第１バースト状信号が生成されると、狭帯域ＢＰＦ１１４により第１バースト状信号から、第１バースト状信号の基本周波数特性を示す信号がＲＦ信号として抽出されて出力される。また、第２バースト状信号が生成されると、狭帯域ＢＰＦ１１４により第２バースト状信号から、第２バースト状信号の基本周波数特性を示す信号がＲＦ信号として抽出されて出力される。これにより、送信装置１０は、送信装置１００に比べ、簡易な構成で、正極性ユニポーラ信号及び負極性ユニポーラ信号をＲＦ信号に変換することができる。
【００８３】
また、送信装置１０では、論理回路１２が、第１マルチプレクサ１２０、第３マルチプレクサ１２４、及び第５マルチプレクサ１２８を有する論理回路とされている。これにより、送信装置１０は、送信装置１００に比べ、簡易な構成で、正極性ユニポーラ信号及び負極性ユニポーラ信号をＲＦ信号に変換することができる。
【００８４】
また、送信装置１０では、論理回路１２と電力増幅器１４とが異なるチップで別体化されている。これにより、送信装置１０は、論理回路１２と電力増幅器１４とが一体化されている場合に比べ、論理回路１４と電力増幅器１４との各々を最適の製造プロセスで作製することにより送信装置１０全体の性能を高めることができる。なお、論理回路１２と電力増幅回路１４とが同一のチップで一体化されている場合には、製造及びメンテナンス作業を簡便に行うことができる。
【００８５】
更に、送信装置１０では、Ｉ−ｃｈの正極性論理パルス及びＩ−ｃｈの負極性論理パルスの一方が他方の逆相信号であり、Ｑ−ｃｈの正極性論理パルス及びＱ−ｃｈの負極性論理パルスの一方が他方の逆相信号である。これにより、送信装置１０は、正極性論理パルス及び負極性論理パルスの一方が他方の逆相信号でない場合に比べ、Ｉ−ｃｈ及びＱ−ｃｈの各々についての第３論理パルスを簡易に生成することができる。
【００８６】
なお、上記実施形態では、電力増幅器１４が反転増幅器の場合について説明したが、電力増幅器１４は非反転増幅器であってもよい。この場合、電力増幅器１４の出力における正負の極性が反転する。
【００８７】
また、上記実施形態では、Ｉ−ｃｈ及びＱ−ｃｈに対応する論理回路１２を例示したが、本発明はこれに限定されるものではない。例えば、Ｉ−ｃｈのみに対応した論理回路、又は、Ｑ−ｃｈのみに対応した論理回路であってもよい。
【００８８】
ここで、Ｉ−ｃｈのみに対応した論理回路は、例えば、論理回路１２から３値ΔΣ変調器１０４、第３マルチプレクサ１２４、第５マルチプレクサ１２８、及び−ＳＩＮ波生成器１３４を除いた論理回路であればよい。また、搬送波としては、ＳＩＮ波（例えば、上記実施形態で説明した−ＳＩＮ波の論理反転の信号）又は−ＳＩＮ波を用いることが好ましい。この場合、第１マルチプレクサ１２０が本発明に係るセレクタとして機能し、入力端子１２０Ａが本発明に係る第１入力端子として機能し、入力端子１２０Ｂが本発明に係る第２入力端子として機能し、出力端子１２８Ｄが本発明に係る出力端子として機能する。
【００８９】
また、Ｑ−ｃｈのみに対応した論理回路は、例えば、論理回路１２から３値ΔΣ変調器１０２、第１マルチプレクサ１２０、第５マルチプレクサ１２８、及びＣＯＳ波生成器１３４を除いた論理回路であればよい。また、搬送波としては、ＳＩＮ波（上記実施形態で説明した−ＳＩＮ波の論理反転の信号）又は−ＳＩＮ波を用いることが好ましい。この場合、第３マルチプレクサ１２４が本発明に係るセレクタとして機能し、入力端子１２４Ａが本発明に係る第１入力端子として機能し、入力端子１２４Ｂが本発明に係る第２入力端子として機能し、出力端子１２８Ｄが本発明に係る出力端子として機能する。
【００９０】
なお、大容量伝送を行うのであれば、上記実施形態で説明したように、互いに９０度位相のずれた搬送波（上述した例では、ＣＯＳ波及び−ＳＩＮ波）を用いて伝送すればよいが、小容量伝送で足りるのであれば、Ｉ−ｃｈのみ又はＱ−ｃｈのみに対応した論理回路を採用すればよい。
【００９１】
また、上記実施形態では、ベースバンド信号が３値ΔΣ変調される場合を例示したが、本発明はこれに限定されるものではなく、ベースバンド信号がΔΣ変調され、５値以上の奇数値（“０”を含み、かつ、“０”を中心とした奇数値）で量子化されるようにしてもよい。５値の一例としては、“２”、“１”、“０”、“−１”、及び“−２”が挙げられる。
【００９２】
また、上記実施形態では、本発明に係る搬送波の一例として、Ｉ−ｃｈの搬送波であるＣＯＳ波、及びＱ−ｃｈの搬送波である−ＳＩＮ波を例示したが、本発明はこれに限定されるものではない。Ｉ−ｃｈ及びＩ−ｃｈの搬送波に必要な条件は、例えば、互いに９０度位相がずれており、かつ、Ｉ−ｃｈ及びＱ−ｃｈの搬送波が３値ΔΣ変調器１０４により出力されるユニポーラ信号（例えば、正極性ユニポーラ信号及び負極性ユニポーラ信号）と同期し、かつ、Ｉ−ｃｈ及びＱ−ｃｈの搬送波のエッジ（変化タイミング（例えば、“０”及び“１”の一方から他方へ遷移するタイミング））がユニポーラ信号のエッジ（例えば、正極性ユニポーラ信号のエッジ及び負極性ユニポーラ信号のエッジ）と一致している、との条件である。従って、Ｉ−ｃｈの搬送波及びＱ−ｃｈの搬送波としては、上述した（ＣＯＳ，−ＳＩＮ）の組み合わせを含めて、（±ＣＯＳ，±ＳＩＮ）及び（±ＳＩＮ，±ＣＯＳ）の計８通り（共に複合は任意）の組み合わせが可能である。
【００９３】
また、上記実施形態では、Ｉ−ｃｈの出力とＱ−ｃｈの出力とを切り替える信号（切り替え波）として、変化タイミングがユニポーラ信号の変化タイミング（例えば、正極性ユニポーラ信号の変化タイミング及び負極性ユニポーラ信号の変化タイミング）と一致する−ＳＩＮ波を例示したが、本発明はこれに限定されるものではない。切り替え波は、例えば、変化タイミングがユニポーラ信号の変化タイミングと一致するＳＩＮ波（例えば、上記実施形態で説明した−ＳＩＮ波の論理反転の信号）であってもよい。すなわち、切り替え波の周期は、搬送波周期の１／４倍（周波数では基本周波数の２倍に相当）を単位としてその整数倍であれば良く、切り替え波の周波数は、上記実施形態で説明した搬送波周波数の１／２倍を含めて、高い方は２倍以下の整数倍（１又は２倍）、低い方は１／ｎ（ｎは正の整数）であれば良い。
【符号の説明】
【００９４】
１０  送信装置
１２  論理回路
１４  電力増幅器
１０２，１０４  ３値ΔΣ変調器
１１４  狭帯域ＢＰＦ
１１６  送信用アンテナ
１２０  第１マルチプレクサ
１２４  第３マルチプレクサ
１２８  第５マルチプレクサ
１２０Ａ，１２０Ｂ，１２４Ａ，１２４Ｂ  入力端子
１２８Ｄ  出力端子
【図１】
2016076777.tif 000003
【図２】
2016076777.tif 000004
【図３】
2016076777.tif 000005
【図４】
2016076777.tif 000006